(57)【特許請求の範囲】
【請求項１】
分類対象キーワードを入力するキーワード入力部と、
複数の登録キーワードのそれぞれに対してカテゴリが割り当てられたカテゴリ辞書を取得する辞書取得部と、
テキストを取得するテキスト取得部と、
前記カテゴリ辞書から分類対象キーワードに対して類似度が予め定められた基準値以上の登録キーワード、および、前記テキスト中において前記分類対象キーワードと共起する登録キーワードを検索して、検索された登録キーワードに割り当てられたカテゴリを前記カテゴリ辞書から抽出し、検索された前記登録キーワードに応じて、抽出された前記カテゴリに重要度を設定する抽出部と、
抽出された前記カテゴリを、前記分類対象キーワードを分類すべきカテゴリ候補として、各カテゴリの重要度と共に出力する出力部と、
を備える情報処理装置。
【請求項２】
前記抽出部は、前記類似度を編集距離に基づいて算出する請求項１に記載の情報処理装置。
【請求項３】
前記抽出部は、前記検索された前記登録キーワードの数に応じて、当該カテゴリに重要度を設定する
請求項１または２に記載の情報処理装置。
【請求項４】
前記抽出部は、各登録キーワードにより抽出した各カテゴリの組み合わせのうち、同一である組み合わせの数に応じて、当該カテゴリに重要度を設定する
請求項１から３のいずれか１項に記載の情報処理装置。
【請求項５】
前記抽出部は、前記分類対象キーワードに対する類似度に基づき検索した登録キーワードに応じて抽出された各カテゴリの組み合わせのうち同一である組み合わせの数、及び、前記分類対象キーワードとの共起に基づき検索した登録キーワードに応じて抽出された各カテゴリの組み合わせのうち同一の組み合わせの数に応じて、当該カテゴリに重要度を設定する
請求項１から４のいずれか１項に記載の情報処理装置。
【請求項６】
前記抽出部は、前記分類対象キーワードの文字数に応じて、前記分類対象キーワードに対する類似度に基づき検索した登録キーワード及び前記分類対象キーワードとの共起に基づき検索した登録キーワードに優先度を設定する
請求項１から５のいずれか１項に記載の情報処理装置。
【請求項７】
前記抽出部は、前記分類対象キーワードの文字数が多くなるにつれて、前記分類対象キーワードに対する類似度に基づき検索した登録キーワードの優先度を、前記分類対象キーワードとの共起に基づき検索した登録キーワードの優先度より高くする
請求項６に記載の情報処理装置。
【請求項８】
前記抽出部は、前記分類対象キーワードに対する類似度に応じて、検索した前記登録キーワードに優先度を設定する
請求項１から７のいずれか１項に記載の情報処理装置。
【請求項９】
前記抽出部は、前記共起の程度を示す共起尺度に基づいて、検索した前記登録キーワードに優先度を設定する
請求項１から８のいずれか１項に記載の情報処理装置。
【請求項１０】
前記抽出部は、前記登録キーワードの優先度に基づいて、抽出した前記カテゴリに重要度を設定する
請求項５から９のいずれか１項に記載の情報処理装置。
【請求項１１】
前記出力部は、検索された前記登録キーワードのそれぞれに対して割り当てられたカテゴリを関連付けてユーザに対して出力する
請求項１から１０のいずれか１項に記載の情報処理装置。
【請求項１２】
前記出力部は、検索された前記登録キーワードのそれぞれと、当該登録キーワードを抽出した検索が類似度に基づく処理と共起に基づく処理とのいずれかであるかを識別可能に出力する
請求項１から１１のいずれか１項に記載の情報処理装置。
【請求項１３】
前記抽出部は、前記カテゴリ辞書から前記分類対象キーワードを含む登録キーワードを更に検索して、検索された登録キーワードに割り当てられたカテゴリを前記カテゴリ辞書から抽出する
請求項１から１２のいずれか１項に記載の情報処理装置。
【請求項１４】
前記出力部は、前記抽出部が抽出したカテゴリの候補を、他のカテゴリと異なる表示で出力する
請求項１から１３のいずれか１項に記載の情報処理装置。
【請求項１５】
前記出力部は、前記抽出部が検索した前記登録キーワードのうち、前記分類対象キーワードの一部からなる登録キーワードを他の登録キーワードと異なる表示で出力する
請求項１から１４のいずれか１項に記載の情報処理装置。
【請求項１６】
前記出力部は、前記抽出部が検索した前記登録キーワードのうち、前記分類対象キーワードを含む登録キーワードを他の登録キーワードと異なる表示で出力する
請求項１から１５のいずれか１項に記載の情報処理装置。
【請求項１７】
コンピュータが、分類対象キーワードを入力するキーワード入力段階と、
前記コンピュータが、複数の登録キーワードのそれぞれに対してカテゴリが割り当てられたカテゴリ辞書を取得する辞書取得段階と、
前記コンピュータが、テキストを取得するテキスト取得段階と、
前記コンピュータが、前記カテゴリ辞書から分類対象キーワードに対して類似度が予め定められた基準値以上の登録キーワード、および、前記テキスト中において前記分類対象キーワードと共起する登録キーワードを検索して、検索された登録キーワードに割り当てられたカテゴリを前記カテゴリ辞書から抽出する抽出段階と、
前記コンピュータが、検索された前記登録キーワードに応じて、抽出された前記登録キーワードに応じて、抽出された前記カテゴリに重要度を設定する設定段階と、
前記コンピュータが、抽出された前記カテゴリを、前記分類対象キーワードを分類すべきカテゴリの候補として、各カテゴリの重要度と共に出力する出力段階と、
を備える方法。
【請求項１８】
分類対象キーワードを入力するキーワード入力部と、
複数の登録キーワードのそれぞれに対してカテゴリが割り当てられたカテゴリ辞書を取得する辞書取得部と、
テキストを取得するテキスト取得部と、
前記カテゴリ辞書から分類対象キーワードに対して類似度が予め定められた基準値以上の登録キーワード、および、前記テキスト中において前記分類対象キーワードと共起する登録キーワードを検索して、検索された登録キーワードに割り当てられたカテゴリを前記カテゴリ辞書から抽出し、検索された前記登録キーワードに応じて、抽出された前記カテゴリに重要度を設定する抽出部と、
抽出された前記カテゴリを、前記分類対象キーワードを分類すべきカテゴリの候補として、各カテゴリの重要度と共に出力する出力部と、
してコンピュータを機能させるプログラム。
【発明の詳細な説明】
【技術分野】
【０００１】
本発明は、情報処理装置、方法及びプログラムに関する。
【背景技術】
【０００２】
分類対象キーワードを予め設定されたカテゴリに分類する技術が知られている（例えば、特許文献１〜６参照）。
特許文献１  特開２０１３−１０５２１０号公報
特許文献２  特開平１１−１１０４０９号公報
特許文献３  特開２００２−４１５４４号公報
特許文献４  特開２００１−２２７６１号公報
特許文献５  特開２０１１−１１８８７２号公報
特許文献６  特開２０１０−１９８２４６号公報
【発明の概要】
【発明が解決しようとする課題】
【０００３】
上述の技術は、分類対象キーワードとの共起によるキーワード検索、分類対象キーワードのベクトル及び学習特徴ベクトルのベクトルによる類似度によるキーワード検索、形態素解析によるキーワード検索、同義語によるキーワード検索のいずれか１つによって、検索されたキーワードによりカテゴリを抽出していたので、分類先のカテゴリの抽出精度が低いといった課題がある。
【課題を解決するための手段】
【０００４】
本発明の第１の態様においては、分類対象キーワードを入力するキーワード入力部と、複数の登録キーワードのそれぞれに対してカテゴリが割り当てられたカテゴリ辞書を取得する辞書取得部と、テキストを取得するテキスト取得部と、前記カテゴリ辞書から分類対象キーワードに対して類似度が予め定められた基準値以上の登録キーワード、および、前記テキスト中において前記分類対象キーワードと共起する登録キーワードを検索して、検索された登録キーワードに割り当てられたカテゴリを前記カテゴリ辞書から抽出し、検索された前記登録キーワードに応じて、抽出された前記カテゴリに重要度を設定する抽出部と、抽出された前記カテゴリを、前記分類対象キーワードを分類すべきカテゴリの候補として、各カテゴリの重要度と共に出力する出力部と、を備える情報処理装置、及び情報処理装置に対応する方法とプログラムとを提供する。
【０００５】
なお、上記の発明の概要は、本発明の特徴の全てを列挙したものではない。また、これらの特徴群のサブコンビネーションもまた、発明となりうる。
【図面の簡単な説明】
【０００６】
【図１】情報処理装置１０の全体構成図である。
【図２】記憶部１４が記憶するカテゴリ辞書３０の一例である。
【図３】記憶部１４が記憶するテキストコーパス３２の一例である。
【図４】情報処理装置１０によって実行されるカテゴリ候補の抽出処理を説明するフローチャートである。
【図５】カテゴリ候補の抽出処理の結果、表示部１６に表示される表示画像の一例である。
【図６】テキストコーパス３２の一例である。
【図７】共通部分文字列によって検索された登録キーワードを含む表示画像４０の一例である。
【図８】表示画像４０を変更した一例である。
【図９】本実施形態に係るコンピュータ１９００のハードウェア構成の一例を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、情報処理装置１０の全体構成図である。情報処理装置１０は、分類対象キーワードをカテゴリに分類する際の文字上の編集距離等に基づく類似度、及び、共起等に基づいて検索した登録キーワードに割り当てられたカテゴリをカテゴリ辞書から検索して、当該カテゴリを候補として出力する。これにより、情報処理装置１０は、分類対象キーワードの分類精度を向上させる。例えば、情報処理装置１０は、医療に関する分類対象キーワードを分類するカテゴリとして、「病名」及び「成人病」等の医療に関するカテゴリを候補として出力する。
【０００９】
分類対象キーワードの一例は、新語及び未知語である。新語は、例えば、単語としては既知だがカテゴリ辞書３０において未分類の初出の単語である。新語の一例は、カテゴリ辞書３０に含まれる既知の「左顔面」及び「麻痺」を含む「左顔面麻痺」である。未知語は、例えば、言語処理において単語の可能性が高いと判定された文字列である。未知語の一例は、カテゴリ辞書３０に含まれない未知の「ノロ」を含む「ノロウィルス」である。
【００１０】
図１に示すように、情報処理装置１０は、制御部１２と、記憶部１４と、表示部１６とを備える。情報処理装置１０は、記憶部１４及び／または表示部１６を有さず、外部の装置に設けられた記憶部１４及び／または表示部１６を用いてもよい。
【００１１】
制御部１２の一例は、ＣＰＵ（central processing unit）等の演算処理装置である。制御部１２は、キーワード入力部２０と、辞書取得部２２と、テキスト取得部２４と、抽出部２６と、出力部２８とを備える。制御部１２は、カテゴリ候補の抽出用のプログラムを読み込むことによって、キーワード入力部２０、辞書取得部２２、テキスト取得部２４、抽出部２６、出力部２８として機能してもよい。また、キーワード入力部２０、辞書取得部２２、テキスト取得部２４、抽出部２６、及び、出力部２８の一部または全部を、回路等のハードウェアとして構成してもよい。
【００１２】
キーワード入力部２０は、辞書取得部２２、テキスト取得部２４、抽出部２６、及び、記憶部１４と情報を送受信可能に接続されている。キーワード入力部２０は、分類対象キーワードを入力する。例えば、キーワード入力部２０は、キーボードまたはタッチパネル等の入力装置によってユーザが入力したキーワードを分類対象キーワードとして取得する。キーワード入力部２０は、分類対象キーワードを辞書取得部２２、テキスト取得部２４、及び、抽出部２６に入力する。キーワード入力部２０は、ユーザがカテゴリ候補から最終的に決定したカテゴリを、分類対象キーワードと関連付けて記憶部１４のカテゴリ辞書３０に追加登録してもよい。
【００１３】
辞書取得部２２は、記憶部１４及び抽出部２６と情報を送受信可能に接続されている。辞書取得部２２は、複数の登録キーワードのそれぞれに対してカテゴリが割り当てられたカテゴリ辞書３０を記憶部１４から取得する。辞書取得部２２は、取得したカテゴリ辞書３０を抽出部２６へ出力する。
【００１４】
テキスト取得部２４は、記憶部１４及び抽出部２６と情報を送受信可能に接続されている。テキスト取得部２４は、記憶部１４に記憶され、１以上のテキストを含むテキストコーパス３２を取得する。尚、テキスト取得部２４は、一部のテキストをテキストコーパス３２から取得してもよい。テキスト取得部２４は、テキストまたはテキストコーパス３２を抽出部２６へ出力する。
【００１５】
抽出部２６は、キーワード入力部２０から分類対象キーワードを取得する。抽出部２６は、辞書取得部２２からカテゴリ辞書３０を取得する。抽出部２６は、テキスト取得部２４からテキストまたはテキストコーパス３２を取得する。
【００１６】
抽出部２６は、カテゴリ辞書３０から分類対象キーワードに対して類似度が予め定められた基準値以上の登録キーワードを検索する。例えば、抽出部２６は、類似度を編集距離に基づいて算出して、登録キーワードを検索する。また、抽出部２６は、テキスト中において分類対象キーワードと共起する登録キーワードを検索する。例えば、抽出部２６は、テキスト取得部２４から取得したテキスト中において分類対象キーワードと共起する共起キーワードを検索する。更に、抽出部２６は、共起キーワードのうち、カテゴリ辞書３０に存在する登録キーワードを検索する。抽出部２６は、検索された登録キーワードに割り当てられたカテゴリをカテゴリ辞書３０から抽出する。抽出部２６は、出力部２８と情報を送受信可能に接続されている。抽出部２６は、抽出したカテゴリの少なくとも一部を登録キーワードと関連付けてカテゴリ候補として出力部２８へと出力する。尚、抽出部２６は、カテゴリ辞書３０に含まれる全てのカテゴリをカテゴリ候補と識別可能に出力部２８へと出力してもよい。
【００１７】
出力部２８は、表示部１６と情報を送受信可能に接続されている。出力部２８は、抽出されたカテゴリを抽出部２６から取得する。出力部２８は、抽出されたカテゴリを、分類対象を分類すべきカテゴリ候補として出力する。尚、出力部２８は、検索されて抽出された登録キーワードのそれぞれに対して割り当てられたカテゴリを関連付けて、ユーザに対して出力してもよい。これにより、出力部２８は、当該登録キーワードのカテゴリをカテゴリ候補として識別可能に出力できる。出力部２８は、検索されて抽出された登録キーワードのそれぞれと、当該登録キーワードを抽出した検索が類似度に基づく処理と共起に基づく処理とのいずれかであるかを識別可能に出力してもよい。
【００１８】
記憶部１４は、情報処理装置１０によって実行されるプログラム、及び、プログラムの実行において必要な閾値等の情報を記憶する。例えば、記憶部１４は、情報処理装置１０が分類対象キーワードを分類する時に実行するカテゴリ候補の抽出用のプログラムを記憶する。また、記憶部１４は、カテゴリ候補の抽出用のプログラムを実行する時に必要なカテゴリ辞書３０及び複数のテキストを含むテキストコーパス３２を記憶する。
【００１９】
表示部１６は、出力部２８から取得した情報を表示する。表示部１６の一例は、液晶表示装置、または、有機ＥＬ表示装置である。
【００２０】
図２は、記憶部１４が記憶するカテゴリ辞書３０の一例である。カテゴリ辞書３０は、１または複数の登録キーワードのそれぞれに対し、少なくとも１つのカテゴリが割り当てられている。
【００２１】
例えば、登録キーワード「顔面神経麻痺」には、カテゴリとして「病名」及び「顔面神経麻痺」が関連付けられている。また、カテゴリ「成人病」には、登録キーワードとして「胃がん」、「糖尿病」及び「心不全」が関連付けられている。尚、分類対象キーワードが医療に関するキーワードの場合、カテゴリ辞書３０は医療用であってよい。
【００２２】
図３は、記憶部１４が記憶するテキストコーパス３２の一例である。テキストコーパス３２は、複数のテキストを含む。例えば、テキストコーパス３２は、最上段に示すように、「左顔面麻痺」と「顔面神経麻痺」とを含むテキストを有する。これにより、抽出部２６は、分類対象キーワードが「左顔面麻痺」の場合、「顔面神経麻痺」を共起する共起キーワードとして検索結果として抽出できる。尚、分類対象キーワードが医療に関するキーワードの場合、テキストコーパス３２は医療用のテキストを主に含むものであってよい。例えば、分類対象キーワードが、医療保険のカテゴリに関して分類する場合、テキストコーパス３２は、医療保険の申請書に含まれる１以上のテキスト等を含むものであってもよい。
【００２３】
図４は、情報処理装置１０によって実行されるカテゴリ候補の抽出処理を説明するフローチャートである。図５は、カテゴリ候補の抽出処理の結果、表示部１６に表示される表示画像の一例である。カテゴリ候補の抽出処理は、情報処理装置１０がカテゴリ候補の抽出用のプログラムを読み込むことによって実行される。
【００２４】
図４に示すように、カテゴリの抽出処理が開始すると、キーワード入力部２０は、分類対象キーワードが入力されたか否かを判定する（Ｓ１０）。キーワード入力部２０は、分類対象キーワードが入力されるまで、待機状態となる（Ｓ１０：Ｎｏ）。キーワード入力部２０は、例えば、ユーザがキーボード等によって分類対象キーワードを入力したと判定すると（Ｓ１０：Ｙｅｓ）、当該分類対象キーワードを辞書取得部２２、テキスト取得部２４、及び、抽出部２６へと出力する。尚、キーワード入力部２０は、カテゴリ辞書３０で未分類の分類対象キーワードをテキストコーパス３２から抽出してもよい。本実施形態では、キーワード入力部２０は、分類対象キーワードとして「左顔面麻痺」を取得したとする。
【００２５】
辞書取得部２２は、キーワード入力部２０から分類対象キーワードが入力されると、記憶部１４からカテゴリ辞書３０を取得する（Ｓ１２）。辞書取得部２２は、取得したカテゴリ辞書３０を抽出部２６へと出力する。
【００２６】
テキスト取得部２４は、キーワード入力部２０から分類対象キーワードが入力されると、記憶部１４から複数のテキストを含むテキストコーパス３２を取得する（Ｓ１４）。テキスト取得部２４は、取得したテキストコーパス３２を抽出部２６へと出力する。
【００２７】
抽出部２６は、辞書取得部２２から取得したカテゴリ辞書３０から、キーワード入力部２０から取得した分類対象キーワードに対して編集距離に基づく類似度が予め定められた基準値以上の登録キーワードを検索する（Ｓ１６）。本実施形態では、抽出部２６は、類似度を編集距離の逆数、即ち、「類似度＝１／編集距離」として算出する。
【００２８】
例えば、抽出部２６は、「挿入」、「削除」及び「置換」のコストをそれぞれ１として編集距離を算出する。抽出部２６は、分類対象キーワードである「左顔面麻痺」の「左」を削除すれば「顔面麻痺」となるので、「顔面麻痺」の編集距離を１として算出する。更に、抽出部２６は、当該編集距離から類似度を１として算出する。ここで、基準値が０．５以上の場合、抽出部２６は、類似度が１の「顔面麻痺」を検索結果の登録キーワードとしてカテゴリ辞書３０から抽出する。抽出部２６は、カテゴリ辞書３０に登録されている各登録キーワードに対して編集距離を算出した後、類似度を算出して、類似度が基準値以上である全ての登録キーワードを検索してカテゴリ辞書３０から抽出する。尚、基準値は、固定値であってもよく、変数であってもよい。基準値が変数の場合、一例として、抽出部２６は、分類対象キーワードの文字数の関数として基準値を算出してもよい。この場合、抽出部２６は、分類対象キーワードの文字数が多くなるにつれて、基準値を小さく設定する。
【００２９】
抽出部２６は、類似度が基準値以上となった全ての登録キーワードに割り当てられたカテゴリをカテゴリ辞書３０からカテゴリ候補として抽出する（Ｓ１８）。例えば、抽出部２６は、図２に示すカテゴリ辞書３０において、「顔面麻痺」に割り当てられている「病名」及び「顔面神経麻痺」をカテゴリとして抽出する。
【００３０】
抽出部２６は、テキスト取得部２４から取得したテキストコーパス３２に含まれるテキスト中において、分類対象キーワードと共起している登録キーワードを検索する（Ｓ２０）。
【００３１】
例えば、抽出部２６は、図３の最上段に示すテキストにおいて、分類対象キーワードである「左顔面麻痺」と１つのテキスト中で共起する「顔面神経麻痺」を検索して共起キーワードとして抽出する。尚、抽出部２６は、分類対象キーワードから１つのテキスト中で何語以内に共起しているキーワードのみを共起キーワードとして抽出してもよい。次に、抽出部２６は、共起キーワード「顔面神経麻痺」がカテゴリ辞書３０に含まれる登録キーワードか否かを判定する。抽出部２６は、共起キーワード「顔面神経麻痺」がカテゴリ辞書３０に含まれるので、登録キーワードとして抽出する。抽出部２６は、分類対象キーワードとテキスト中で共起する全ての共起キーワードのうち、カテゴリ辞書３０に含まれる登録キーワードを検索して抽出する。
【００３２】
尚、抽出部２６は、カテゴリ辞書３０に含まれる登録キーワードの全てを抽出して、当該登録キーワードがいずれかのテキスト中で分類対象キーワードと共起するか否かで、分類対象キーワードと共起する登録キーワードを検索して抽出してもよい。
【００３３】
抽出部２６は、テキスト中で共起したキーワードのうち、抽出された登録キーワードに割り当てられたカテゴリをカテゴリ辞書３０からカテゴリ候補として抽出する（Ｓ２２）。例えば、抽出部２６は、図２に示すカテゴリ辞書３０において、「顔面神経麻痺」に割り当てられている「病名」及び「顔面神経麻痺」をカテゴリとして抽出する。
【００３４】
抽出部２６は、検索された登録キーワードの数に応じて、各カテゴリに重要度を設定する（Ｓ２４）。例えば、抽出したカテゴリである「病名」に編集距離に基づく類似度及び共起に基づいて検索された登録キーワードが「顔面神経麻痺」、「ベル麻痺」、「ハント症候群」、「左片麻痺」及び「顔面麻痺」の５個の場合、抽出部２６は重要度を５と設定する。
【００３５】
抽出部２６は、重要度に応じて、カテゴリ候補を決定する（Ｓ２５）。例えば、抽出部２６は、重要度の大きいカテゴリをカテゴリ候補として決定する。この場合、抽出部２６は、重要度の大きいカテゴリのうち、上位Ｎ％または上位Ｍ個をカテゴリ候補として決定してもよい。尚、Ｎ及びＭは予め設定された値である。また、抽出部２６は、重要度が候補用閾値以上のカテゴリをカテゴリ候補として決定してもよい。
【００３６】
抽出部２６は、抽出した登録キーワード、カテゴリ候補、及び、検索方法を互いに関連付けて出力部２８へ出力する。尚、検索方法とは、編集距離等の類似度による検索または共起による検索を含む方法のことである。また、抽出部２６は、カテゴリ辞書３０に含まれる全てのカテゴリを出力部２８へ出力する（Ｓ２６）。
【００３７】
出力部２８は、抽出部２６から取得した登録キーワード、カテゴリ候補を含むカテゴリ、及び、検索方法を表示部１６に出力させる（Ｓ２８）。例えば、出力部２８は、図５に示す表示画像４０を表示部１６に表示させる。
【００３８】
図５に示す表示画像４０において、左端の列の各セルは、カテゴリ辞書３０に含まれる全カテゴリを示す。更に、左端の列において、チェックマークが付与されているカテゴリは、分類対象キーワードである「左顔面麻痺」を分類するためのカテゴリ候補である。表示画像４０において、上から２段目の行の各セルは、抽出部２６が共起及び編集距離に基づいて抽出した登録キーワードを示す。最上段の各セルは、上から２段目の登録キーワードの検索方法を示す。本実施形態では、検索方法は、共起または編集距離のいずれかとなる。尚、編集距離に代えて、類似度と表示してもよい。これにより、出力部２８は、ユーザにいずれの検索方法によって抽出された登録キーワードかを提示することができる。
【００３９】
表示画像４０において、左から２列目以降であって、上から３行目以下の各セルは、各登録キーワードと各カテゴリとが関連付けられているか否かを示す。例えば、登録キーワード「顔面神経麻痺」にはカテゴリ「病名」が、カテゴリ辞書３０において割り当てられているので、交差するセルには○が付与されている。従って、図５に示す例では、抽出部２６は、カテゴリ「病名」、「麻痺」及び「顔面神経麻痺」のそれぞれの重要度を５、１、４と設定している。抽出部２６は、このうち重要度が高いと判断したカテゴリ「病名」及び「顔面神経麻痺」をカテゴリ候補としている。これにより、出力部２８は、表示画像４０上で「病名」及び「顔面神経麻痺」にチェックマークを付与して、抽出部２６が抽出したカテゴリ候補を他のカテゴリと識別可能な異なる表示としている。尚、カテゴリの表示順序は、適宜設定してよい。また、カテゴリの表示順序は、ユーザの選択によって、変更可能にしてもよい。
【００４０】
ユーザは、この表示画像４０を参照して、分類対象キーワード「左顔面麻痺」の分類先としてカテゴリを決定する。例えば、ユーザは、マウス、及び、キーワード等の入力装置によって、各カテゴリにチェックマークを付与または削除することによって、情報処理装置１０が抽出したカテゴリ候補を取捨選択する。これにより、分類対象キーワードの分類先のカテゴリが決定する。尚、ユーザは、抽出部２６が決定したカテゴリ候補以外のカテゴリをカテゴリ候補としてもよい。
【００４１】
キーワード入力部２０は、ユーザの決定したカテゴリを取得して、当該カテゴリを分類対象キーワードに関連付けてカテゴリ辞書３０に追加登録する（Ｓ３０）。
【００４２】
上述したように情報処理装置１０では、抽出部２６が、類似度の一例である編集距離の逆数及び共起によって分類対象キーワードのカテゴリ候補を抽出している。これにより、情報処理装置１０は、編集距離に基づく類似度または共起の一方によってカテゴリ候補を抽出する場合に比べて、カテゴリ候補の抽出精度を向上させることができる。更に、カテゴリ辞書３０が大きくなりカテゴリが増大した場合でも、情報処理装置１０は、ユーザのカテゴリ選択の効率を向上させることができる。
【００４３】
更に、分類対象キーワードが全く未知の新語及び未知語であっても、抽出部２６は、編集距離に基づく類似度によって登録キーワードを検索できるので、当該登録キーワードに基づいてカテゴリ候補を抽出することができる。同様に、ユーザが分類対象キーワードを入力ミスした場合であっても、抽出部２６は、編集距離によって登録キーワードを検索できるので、カテゴリ候補を抽出することができる。
【００４４】
情報処理装置１０では、抽出部２６が、編集距離に基づく類似度及び共起によってカテゴリ辞書３０から検索された登録キーワードの数によって、カテゴリに重要度を設定して、重要度の高いカテゴリをカテゴリ候補としている。これにより、情報処理装置１０は、重要度に基づいて、よりカテゴリ候補の抽出精度を向上させることができる。
【００４５】
情報処理装置１０では、抽出部２６が、基準値を分類対象キーワードの文字数に応じて設定する。特に、抽出部２６が、分類対象キーワードの文字数が大きくなるにつれて、基準値を小さく設定することにより、不要なカテゴリを抽出するカテゴリ候補の精度をより向上させることができる。
【００４６】
上述した情報処理装置１０の一部を変更した実施形態について説明する。
【００４７】
（重要度の変更）カテゴリの重要度の設定方法を変更した実施形態について説明する。
【００４８】
抽出部２６は、抽出した各カテゴリの組み合わせに応じて重要度を算出してもよい。
【００４９】
具体的には、抽出部２６は、各登録キーワードにより抽出した各カテゴリの組み合わせのうち、同一である組み合わせの数に応じて、カテゴリの重要度を設定してもよい。例えば、図５に示す例では、カテゴリの組み合わせ「病名」−「顔面神経麻痺」の個数が４個なので、抽出部２６は、当該カテゴリの組み合わせに含まれるカテゴリ「病名」及び「顔面神経麻痺」の重要度をそれぞれ４と設定する。一方、カテゴリの組み合わせ「病名」−「麻痺」の個数が１個なので、抽出部２６は、当該カテゴリの組み合わせに含まれるカテゴリ「病名」及び「麻痺」の重要度をそれぞれ１と設定する。ここで、抽出部２６は、１個のカテゴリに複数の重要度が設定された場合、大きい重要度を当該カテゴリの重要度として設定してもよい。上述の例では、抽出部２６は、カテゴリ「病名」に２つの重要度を設定することになるが、大きい重要度である４をカテゴリ「病名」の重要度として設定すればよい。
【００５０】
また、抽出部２６は、登録キーワードの検索方法が同じ各カテゴリの組み合わせのうち同一である組み合わせの数に応じて、当該カテゴリに重要度を設定してもよい。
【００５１】
具体的には、抽出部２６は、分類対象キーワードに対する類似度である編集距離の逆数に基づき検索した登録キーワードに応じて抽出された各カテゴリの組み合わせのうち同一である組み合わせの数によって、当該カテゴリの重要度を設定する。図５に示す例では、抽出部２６は、編集距離に基づき検索された登録キーワード「左片麻痺」及び「顔面麻痺」のカテゴリの組み合わせのうち、同一の組み合わせ「病名」−「顔面神経麻痺」が２個なので、各カテゴリ「病名」及び「顔面神経麻痺」の重要度として２を設定する。
【００５２】
また、抽出部２６は、分類対象キーワードとの共起に基づき検索した登録キーワードに応じて抽出された各カテゴリの組み合わせのうち同一の組み合わせの数に応じて、当該カテゴリに重要度を設定する。図５に示す例では、抽出部２６は、共起に基づき検索された登録キーワード「顔面神経麻痺」、「ベル麻痺」及び「ハント症候群」のカテゴリの組み合わせのうち、同一の組み合わせ「病名」−「顔面神経麻痺」が２個なので、各カテゴリ「病名」、「顔面神経麻痺」の重要度として２を設定する。また、「ハント症候群」のカテゴリの組み合わせ「病名」−「麻痺」は１個なので、カテゴリ「病名」及び「麻痺」には重要度として１を設定する。ここで、抽出部２６は、１個のカテゴリに複数の重要度が設定された場合、大きい重要度を当該カテゴリの重要度として設定すればよい。
【００５３】
（登録キーワードの優先度）登録キーワードの優先度について説明する。上述の実施形態では、検索された登録キーワードを同じ優先度で扱ったが、抽出部２６は、登録キーワードに異なる優先度を設定してもよい。
【００５４】
抽出部２６は、分類対象キーワードの文字数に応じて、カテゴリ辞書３０から分類対象キーワードに対する類似度に基づき検索した登録キーワード及び分類対象キーワードとの共起に基づき検索した登録キーワードに優先度を設定する。例えば、抽出部２６は、分類対象キーワードの文字数が多くなるにつれて、分類対象キーワードに対する類似度に基づき検索した登録キーワードの優先度を、分類対象キーワードとの共起に基づき検索した登録キーワードの優先度より高くする。この場合、一方の優先度が０となってもよい。例えば、分類対象キーワードの文字数が、予め定められた文字数閾値以上の場合、共起によって検索した登録キーワードの優先度を０としてもよい。
【００５５】
これにより、抽出部２６は、分類対象キーワードの文字数が多くなるにつれて、検索精度が向上する類似度によって検索された登録キーワードの優先度を高くすることができる。特に、抽出部２６が、類似度として編集距離の逆数を採用している場合に、当該優先度は有効である。
【００５６】
また、抽出部２６は、分類対象キーワードに対する類似度に応じて、検索した各登録キーワードに異なる優先度を設定してもよい。例えば、抽出部２６は、類似度が大きい登録キーワードには高い優先度を設定する。特に、抽出部２６は、類似度として編集距離の逆数を採用した場合、編集距離が短い登録キーワードほど高い優先度を設定する。換言すれば、抽出部２６は、類似度の大きい登録キーワードほど高い優先度を設定する。
【００５７】
抽出部２６は、共起の程度を示す共起尺度ＣＳに基づいて検索した各登録キーワードに異なる優先度を設定してもよい。抽出部２６は、一例として次の式（１）によって共起尺度ＣＳを算出する。
【数１】
0006044963.tif 000002
尚、式（１）において、＃Ｂは、テキストコーパス中において、分類対象キーワード及び共起した登録キーワードの両方を含むテキスト、及び、共起した登録キーワードのみを含むテキストの個数である。
【００５８】
図６は、テキストコーパス３２の一例である。図６に示すテキストコーパス３２における共起尺度ＣＳの算出方法を説明する。図６に示すテキストコーパス３２は、５個のテキストを含むとする。各テキストには、符号ＴＸ１からＴＸ５を付与する。分類対象キーワードは、「インシュリン」とする。分類対象キーワード「インシュリン」と「胃がん」及び「糖尿病」が共起している。尚、「胃がん」及び「糖尿病」の両方は、カテゴリ辞書３０に登録済みとする。
【００５９】
まず、「インシュリン」に対する「胃がん」の共起尺度ＣＳについて説明する。「胃がん」の場合、＃Ａは３、＃Ｂは２、＃Ｘは５、＃（Ａ∩Ｂ）は１となる。従って、「胃がん」の共起尺度ＣＳは５／６となる。「インシュリン」に対する「糖尿病」の共起尺度ＣＳでは、＃Ａは３、＃Ｂは２、＃Ｘは５、＃（Ａ∩Ｂ）は２となる。従って、「糖尿病」の共起尺度ＣＳは５／３となる。このように共起尺度ＣＳは、分類対象キーワードと登録キーワードが共起しているテキストが多く、登録キーワードのみのテキストが少ない方が大きくなる。
【００６０】
抽出部２６は、式（１）によって算出した共起尺度ＣＳが大きい登録キーワードほど、優先度を大きく設定する。
【００６１】
抽出部２６は、登録キーワードの優先度に基づいて、抽出したカテゴリに重要度を設定してもよい。例えば、抽出部２６は、各カテゴリに含まれる登録キーワードの優先度を全て足した合計を当該カテゴリの重要度として設定してもよい。また、抽出部２６は、各カテゴリの組み合わせに基づいて重要度を算出する場合、組み合わせに含まれる登録キーワードを足した合計を組み合わせの優先度として算出すればよい。そして、抽出部２６は、組み合わせの優先度に組み合わせの個数を掛けた値を当該組み合わせ及び組み合わせに含まれるカテゴリの重要度として設定すればよい。
【００６２】
（検索方法の変形例）検索方法の他の例について説明する。抽出部２６は、編集距離に基づく類似度及び共起以外の検索方法によって、登録キーワードを検索してもよい。
【００６３】
例えば、抽出部２６は、カテゴリ辞書３０から分類対象キーワードを含む登録キーワードを更に検索して、検索された登録キーワードに割り当てられたカテゴリをカテゴリ辞書３０から抽出して、当該カテゴリを検索された登録キーワードと関連付けて出力部２８へと出力してもよい。
【００６４】
具体的には、抽出部２６は、分類対象キーワードが「左顔面麻痺」の場合、共通部分文字列を含む登録キーワード「突発性左顔面麻痺」をカテゴリ辞書３０から検索する。例えば、カテゴリ辞書３０に「突発性左顔面麻痺」が含まれている場合、抽出部２６は、「突発性左顔面麻痺」に割り当てられているカテゴリを抽出する。ここでは、「突発性左顔面麻痺」にカテゴリ「病名」及び「顔面神経麻痺」が割り当てられているとする。抽出部２６は、登録キーワード「突発性左顔面麻痺」にカテゴリ「病名」及び「顔面神経麻痺」を関連付けて出力部２８へ出力する。
【００６５】
図７は、共通部分文字列によって検索された登録キーワードを含む表示画像４０の一例である。図７に示すように、出力部２８は、共通部分文字列によって検索された登録キーワード及びカテゴリを示す表示画像４０を表示部１６に表示させてユーザへ出力する。例えば、出力部２８は、登録キーワード「突発性左顔面麻痺」に割り当てられているカテゴリ「病名」及び「顔面神経麻痺」に対応するセルに○を付与した表示画像４０を出力する。
【００６６】
（表示方法の変形例）他の表示画像４０について説明する。出力部２８は、表示部１６に表示させる表示画像４０を適宜変更してもよい。
【００６７】
図８は、表示画像４０を変更した一例である。例えば、出力部２８は、抽出部２６が検索した登録キーワードのうち、分類対象キーワードの一部からなる登録キーワードを他の登録キーワードと異なる表示で出力してもよい。例えば、分類対象キーワードが「左顔面麻痺」の場合、出力部２８は、分類対象キーワードの一部である「顔面麻痺」からなる登録キーワードを他の登録キーワードと異なる表示とする。ここでいう異なる表示とは、白抜き且つ拡大である。これにより、情報処理装置１０は、分類対象キーワードがカテゴリ辞書３０に登録された場合、最長一致で抽出されない競合する登録キーワードをユーザに示すことができる。
【００６８】
また、出力部２８は、抽出部２６が検索した登録キーワードのうち、分類対象キーワードを含む登録キーワードを他の登録キーワードと異なる表示で出力してもよい。例えば、分類対象キーワードが「左顔面麻痺」の場合、出力部２８は、分類対象キーワードを含む登録キーワード「突発性左顔面麻痺」を他の登録キーワードと異なる表示とする。これにより、情報処理装置１０は、分類対象キーワードをカテゴリ辞書３０に登録しても、最長一致では当該分類対象キーワードが抽出されない原因となる競合する登録キーワードをユーザに示すことができる。
【００６９】
上述の実施形態では、出力部２８は、カテゴリ候補を含む全てのカテゴリを表示したが、カテゴリ候補のみを表示してもよい。また、出力部２８は、各カテゴリの重要度に基づいて、カテゴリの表示順序を設定してもよい。
【００７０】
（その他の変形例）更に、情報処理装置１０を部分的に変更した例について説明する。抽出部２６は、ユーザによる決定無しに、抽出したカテゴリ候補を登録キーワードに割り当ててカテゴリ辞書３０に登録してもよい。この場合、キーワード入力部２０は、抽出部２６が抽出したカテゴリ候補からユーザが決定したカテゴリを合わせてカテゴリ辞書３０に登録してもよい。この場合、抽出部２６及びキーワード入力部２０は、当該カテゴリが抽出部２６によって抽出されたカテゴリか、ユーザによって決定されたカテゴリかを識別可能に登録してもよい。
【００７１】
抽出部２６は、学習機能を有してもよい。例えば、抽出部２６は、カテゴリ候補をロジスティック回帰の問題として、学習してもよい。具体的には、抽出部２６は、抽出したカテゴリ候補がユーザによってカテゴリ辞書３０に登録されたか否かを目的変数とする。抽出部２６は、編集距離に基づく類似度に応じた登録キーワードの個数を説明変数とする。例えば、抽出部２６は、類似度を編集距離の逆数として、当該類似度が閾値よりも大きい登録キーワードの個数を説明変数としてもよい。尚、抽出部２６は、共起尺度に応じた登録キーワードの個数と説明変数としてもよい。例えば、抽出部２６は、共起尺度が閾値よりも高い登録キーワードの個数を説明変数としてもよい。これにより、抽出部２６は、より精度よくカテゴリ候補を抽出できる。
【００７２】
尚、上述の学習機能において、抽出部２６は、抽出したカテゴリ候補をカテゴリ辞書３０への登録の対象とするか否かを目的変数としてもよい。特に、抽出部２６が、ユーザの決定を経ることなく、抽出したカテゴリ候補をカテゴリ辞書に登録する場合に有効である。
【００７３】
図９は、本実施形態に係るコンピュータ１９００のハードウェア構成の一例を示す。本実施形態に係るコンピュータ１９００は、情報処理装置１０の一例である。コンピュータ１９００は、ホスト・コントローラ２０８２により相互に接続されるＣＰＵ２０００、ＲＡＭ２０２０、グラフィック・コントローラ２０７５、及び表示部２０８０を有するＣＰＵ周辺部と、入出力コントローラ２０８４によりホスト・コントローラ２０８２に接続される通信インターフェイス２０３０、及び、ハードディスクドライブ２０４０を有する入出力部と、入出力コントローラ２０８４に接続されるＲＯＭ２０１０、メモリドライブ２０５０及び入出力チップ２０７０を有するレガシー入出力部とを備える。
【００７４】
ホスト・コントローラ２０８２は、ＲＡＭ２０２０と、高い転送レートでＲＡＭ２０２０をアクセスするＣＰＵ２０００及びグラフィック・コントローラ２０７５とを接続する。ＣＰＵ２０００は、ＲＯＭ２０１０及びＲＡＭ２０２０に格納されたプログラムに基づいて動作し、各部の制御を行う。グラフィック・コントローラ２０７５は、ＣＰＵ２０００等がＲＡＭ２０２０内に設けたフレーム・バッファ上に生成する画像データを取得し、表示部２０８０上に表示させる。これに代えて、グラフィック・コントローラ２０７５は、ＣＰＵ２０００等が生成する画像データを格納するフレーム・バッファを、内部に含んでもよい。
【００７５】
入出力コントローラ２０８４は、ホスト・コントローラ２０８２と、比較的高速な入出力装置である通信インターフェイス２０３０、ハードディスクドライブ２０４０を接続する。通信インターフェイス２０３０は、ネットワークを介して他の装置と通信する。ハードディスクドライブ２０４０は、コンピュータ１９００内のＣＰＵ２０００が使用する表示プログラム等のプログラム及びデータを格納する。
【００７６】
また、入出力コントローラ２０８４には、ＲＯＭ２０１０と、メモリドライブ２０５０、及び入出力チップ２０７０の比較的低速な入出力装置とが接続される。ＲＯＭ２０１０は、コンピュータ１９００が起動時に実行するブート・プログラム、及び／又は、コンピュータ１９００のハードウェアに依存するプログラム等を格納する。メモリドライブ２０５０は、メモリカード２０９０から例えば表示プログラム等のプログラム又はデータを読み取り、ＲＡＭ２０２０を介してハードディスクドライブ２０４０に提供する。入出力チップ２０７０は、メモリドライブ２０５０を入出力コントローラ２０８４へと接続すると共に、例えばパラレル・ポート、シリアル・ポート、キーボード・ポート、マウス・ポート等を介して各種の入出力装置を入出力コントローラ２０８４へと接続する。
【００７７】
ＲＡＭ２０２０を介してハードディスクドライブ２０４０に提供されるプログラムは、メモリカード２０９０、又はＩＣカード等の記録媒体に格納されて利用者によって提供される。表示プログラム等のプログラムは、記録媒体から読み出され、ＲＡＭ２０２０を介してコンピュータ１９００内のハードディスクドライブ２０４０にインストールされ、ＣＰＵ２０００において実行される。
【００７８】
コンピュータ１９００にインストールされ、コンピュータ１９００を情報処理装置１０として機能させるプログラムは、キーワード入力モジュール、辞書取得モジュール、テキスト取得モジュール、抽出モジュール、及び、出力モジュールを備える。これらのプログラム又はモジュールは、ＣＰＵ２０００等に働きかけて、コンピュータ１９００を、キーワード入力モジュール、辞書取得モジュール、テキスト取得モジュール、抽出モジュール、及び、出力モジュールとしてそれぞれ機能させる。
【００７９】
これらのプログラムに記述された情報処理は、コンピュータ１９００に読込まれることにより、ソフトウェアと上述した各種のハードウェア資源とが協働した具体的手段であるキーワード入力モジュール、辞書取得モジュール、テキスト取得モジュール、抽出モジュール、及び、出力モジュールとして機能する。そして、これらの具体的手段によって、本実施形態におけるコンピュータ１９００の使用目的に応じた情報の演算又は加工を実現することにより、使用目的に応じた特有の情報処理装置１０が構築される。
【００８０】
一例として、コンピュータ１９００と外部の装置等との間で通信を行う場合には、ＣＰＵ２０００は、ＲＡＭ２０２０上にロードされた通信プログラムを実行し、通信プログラムに記述された処理内容に基づいて、通信インターフェイス２０３０に対して通信処理を指示する。通信インターフェイス２０３０は、ＣＰＵ２０００の制御を受けて、ＲＡＭ２０２０、ハードディスクドライブ２０４０、又はメモリカード２０９０等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェイス２０３０は、ＤＭＡ（ダイレクト・メモリ・アクセス）方式により記憶装置との間で送受信データを転送してもよく、これに代えて、ＣＰＵ２０００が転送元の記憶装置又は通信インターフェイス２０３０からデータを読み出し、転送先の通信インターフェイス２０３０又は記憶装置へとデータを書き込むことにより送受信データを転送してもよい。
【００８１】
また、ＣＰＵ２０００は、ハードディスクドライブ２０４０、メモリドライブ２０５０（メモリカード２０９０）等の外部記憶装置に格納されたファイルまたはデータベース等の中から、全部または必要な部分をＤＭＡ転送等によりＲＡＭ２０２０へと読み込ませ、ＲＡＭ２０２０上のデータに対して各種の処理を行う。そして、ＣＰＵ２０００は、処理を終えたデータを、ＤＭＡ転送等により外部記憶装置へと書き戻す。このような処理において、ＲＡＭ２０２０は、外部記憶装置の内容を一時的に保持するものとみなせるから、本実施形態においてはＲＡＭ２０２０および外部記憶装置等をメモリ、記憶部、または記憶装置等と総称する。本実施形態における各種のプログラム、データ、テーブル、データベース等の各種の情報は、このような記憶装置上に格納されて、情報処理の対象となる。なお、ＣＰＵ２０００は、ＲＡＭ２０２０の一部をキャッシュメモリに保持し、キャッシュメモリ上で読み書きを行うこともできる。このような形態においても、キャッシュメモリはＲＡＭ２０２０の機能の一部を担うから、本実施形態においては、区別して示す場合を除き、キャッシュメモリもＲＡＭ２０２０、メモリ、及び／又は記憶装置に含まれるものとする。
【００８２】
また、ＣＰＵ２０００は、ＲＡＭ２０２０から読み出したデータに対して、プログラムの命令列により指定された、本実施形態中に記載した各種の演算、情報の加工、条件判断、情報の検索・置換等を含む各種の処理を行い、ＲＡＭ２０２０へと書き戻す。例えば、ＣＰＵ２０００は、条件判断を行う場合においては、本実施形態において示した各種の変数が、他の変数または定数と比較して、大きい、小さい、以上、以下、等しい等の条件を満たすかどうかを判断し、条件が成立した場合（又は不成立であった場合）に、異なる命令列へと分岐し、またはサブルーチンを呼び出す。また、ＣＰＵ２０００は、記憶装置内のファイルまたはデータベース等に格納された情報を検索することができる。
【００８３】
以上に示したプログラム又はモジュールは、外部の記録媒体に格納されてもよい。記録媒体としては、メモリカード２０９０の他に、ＤＶＤ又はＣＤ等の光学記録媒体、ＭＯ等の光磁気記録媒体、テープ媒体、ＩＣカード等の半導体メモリ等を用いることができる。また、専用通信ネットワーク又はインターネットに接続されたサーバシステムに設けたハードディスク又はＲＡＭ等の記憶装置を記録媒体として使用し、ネットワークを介してプログラムをコンピュータ１９００に提供してもよい。
【００８４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８６】
１０  情報処理装置
１２  制御部
１４  記憶部
１６  表示部
２０  キーワード入力部
２２  辞書取得部
２４  テキスト取得部
２６  抽出部
２８  出力部
３０  カテゴリ辞書
３２  テキストコーパス
４０  表示画像
１９００  コンピュータ
２０００  ＣＰＵ
２０１０  ＲＯＭ
２０２０  ＲＡＭ
２０３０  通信インターフェイス
２０４０  ハードディスクドライブ
２０５０  メモリドライブ
２０７０  入出力チップ
２０７５  グラフィック・コントローラ
２０８０  表示部
２０８２  ホスト・コントローラ
２０８４  入出力コントローラ
２０９０  メモリカード
【図１】
0006044963.tif 000003
【図２】
0006044963.tif 000004
【図３】
0006044963.tif 000005
【図４】
0006044963.tif 000006
【図５】
0006044963.tif 000007
【図６】
0006044963.tif 000008
【図７】
0006044963.tif 000009
【図８】
0006044963.tif 000010
【図９】
0006044963.tif 000011